(57)【要約】【課題】ファクシミリ装置の外付け電話端子に接続されるナンバーディスプレイ対応の電話機に、通信相手の電話番号をファクシミリ通信前に表示させ、ファクシミリ通信前に通信相手の電話番号を確認可能にすること。【解決手段】ナンバーディスプレイサービスに対応している回線３１を、ナンバーディスプレイサービスに対応している外付けの電話機３２とともに共用可能なファクシミリ装置１の回線極性検知部２９により、回線３１の極性反転が検知された場合に、ファクシミリ装置１をスリープ復帰して、呼出信号検知部３３、制御部１０等を起動させ、該起動された呼出信号検知部３３がＣＡＲ信号を検知し、ＣＡＲ信号の初波が検知された場合、回線切換え部３８により、ＣＡＲ信号の待機中には回線３１から切り離されていた電話機３２を、回線３１に接続して、電話機３２によりＣＡＲ信号および情報サービス信号を受信可能に制御する。【選択図】図２
2017139614.tif 000002
【特許請求の範囲】
【請求項１】
ナンバーディスプレイサービスに対応している回線を、ナンバーディスプレイサービスに対応している外付けの電話機とともに共用可能なファクシミリ装置であって、
前記電話機と前記回線との接続と切断を切り換える切換え手段と、
前記切り換え手段による切り換えを制御する制御手段と、
前記回線の極性反転を検知する第１検知手段と、
一次呼出信号を検知する第２検知手段と、
前記第１検知手段により回線極性反転が検知された場合に、前記第２検知手段を起動させる起動手段と、を有し、
前記制御手段は、一次呼出信号の待機中には、前記電話機を前記回線から切り離し、前記第２検知手段で一次呼出信号が検知された場合には、前記電話機を前記回線に接続し、前記電話機により前記一次呼出信号および情報サービス信号を受信可能に制御することを特徴とするファクシミリ装置。
【請求項２】
前記制御手段は、前記第２検知手段で前記一次呼出信号の初波が検知された際に、前記電話機を前記回線に接続するように制御することを特徴とする請求項１に記載のファクシミリ装置。
【請求項３】
前記ファクシミリ装置は、第１電力状態と、前記第１電力状態よりも消費電力の低い第２電力状態を切り替え可能であり、
前記第２検知手段は、前記第１電力状態で動作し、前記第２電力状態で動作せず、
前記起動手段は、前記第１検知手段により回線極性反転が検知された場合に、前記ファクシミリ装置の電力状態を前記第２電力状態から前記第１電力状態に復帰させることを特徴とする請求項１又は２に記載のファクシミリ装置。
【請求項４】
疑似呼出信号を出力する出力手段を有し、
前記切り換え手段は、前記電話機との接続を、前記回線、または、前記出力手段に切り換えるものであり、
前記制御手段は、前記電話機により情報サービス信号が受信された後、前記電話機を前記出力手段に接続し、前記出力手段から前記疑似呼出信号を前記電話機に出力させるよう制御することを特徴とする請求項１乃至３のいずれか１項に記載のファクシミリ装置。
【請求項５】
ナンバーディスプレイサービスに対応している回線を、ナンバーディスプレイサービスに対応している外付けの電話機とともに共用可能なファクシミリ装置の制御方法であって、
第１検知手段が前記回線の極性反転を検知する第１検知ステップと、
前記第１検知ステップで回線極性反転が検知された場合に、第２検知手段を起動させる起動ステップと、
前記起動ステップで起動された第２検知手段が一次呼出信号を検知する第２検知ステップと、
前記第２検知ステップで一次呼出信号が検知された場合、切換え手段により、一次呼出信号の待機中には前記回線から切り離されている前記電話機を、前記回線に接続して、前記電話機により前記一次呼出信号および情報サービス信号を受信可能に制御するステップと、
を有することを特徴とするファクシミリ装置の制御方法。
【請求項６】
請求項５に記載のファクシミリ装置の制御方法を、コンピュータに実行させるためのプログラム。
【発明の詳細な説明】
【技術分野】
【０００１】
本発明は、ナンバーディスプレイ対応の電話機を接続可能なファクシミリ装置、ファクシミリ装置の制御方法、及びプログラムに関するものである。
【背景技術】
【０００２】
ファクシミリ装置の外付け電話端子にナンバーディスプレイ対応の電話機を接続し、通信相手の電話番号をナンバーディスプレイ対応電話機に表示させて、ファクシミリ通信前に、通信相手の電話番号を確認したいといった要望がある。
【０００３】
特許文献１には、外付け電話としてナンバーディスプレイに対応した電話機を接続可能なファクシミリ装置が提案されている。
特許文献１のような従来のファクシミリ装置では、ナンバーディスプレイを利用可能であるが、ナンバーディスプレイモード時は、外付け電話端子に接続されるナンバーディスプレイ対応の電話機は、該ファクシミリ装置の制御で無鳴動に設定される。
【０００４】
ここで、ナンバーディスプレイの回線サービスを利用した通信について説明する。
この通信では、まず、公衆回線網から呼出信号が着信する直前に電話回線の極性が反転する。その後に、情報受信端末起動信号（ＣＡＲ信号）が着信する。このＣＡＲ信号は一次呼出信号であって、その信号形態は、正弦波信号で電圧７５Ｖｒｍｓ，周波数１６Ｈｚで、５００ｍｓｅｃのインターバルでＯＮ、ＯＦＦを繰り返すものである。
【０００５】
ナンバーディスプレイ対応のファクシミリ装置では、このＣＡＲ信号を検出し、回線を捕捉する。この回線捕捉を一次応答信号という。上述のＣＡＲ信号の着信時間は、６秒間で、この時間以内に一次応答する必要がある。上述のＣＡＲ信号の着信から６秒を経過すると、二次呼出信号（ＩＲ）が着信してしまう。このＩＲ信号は、周波数、信号電圧は上述のＣＡＲと同じで、インターバルは１秒ＯＮ、２秒ＯＦＦである。
【０００６】
さらに、上述の一次応答信号の後に、情報サービス信号（電話番号）がＶ．２３に準拠した情報データとして着信し、ファクシミリ装置のモデムで受信する構成となっている。ファクシミリ装置では、この情報サービス信号を受信した後に、電話回線を一旦、開放する。この回線開放を受信完了信号という。ファクシミリ装置は、この回線開放までに電話番号の受信を完了させる。この後さらに、二次呼出信号（ＩＲ信号）が着信する。ファクシミリ装置は、このＩＲ信号を検知し、回線を捕捉し、ＣＮＧ（calling signal）信号を検知すると、ファクシミリ画像を受信する。
【０００７】
このように、従来では、ファクシミリ装置が情報サービス信号（電話番号）を受信するため、該ファクシミリ装置の外付け電話端子に接続された、ナンバーディスプレイ対応の電話機で、着信電話番号を表示させるために、以下のような構成を備えていた。
従来では、一旦ファクシミリ装置で受信した端末起動信号（ＣＡＲ）と情報サービス信号（電話番号）を、送信回路を用いて、ナンバーディスプレイ対応の電話機へ送信していた。
【先行技術文献】
【特許文献】
【０００８】
【特許文献１】特開２００１−３５８８４９号公報
【発明の概要】
【発明が解決しようとする課題】
【０００９】
しかし、上述したような従来の技術では、一旦ファクシミリ装置でＣＡＲ信号と電話番号を受信するためタイムラグが発生していた。特に、ファクシミリ装置が省電力状態の場合、ＣＡＲ信号を受け付けてからファクシミリ装置が省電力状態から復帰するため、そのタイムラグも大きくなっていた。このようにタイムラグが発生する従来のファクシミリ装置では、ナンバーディスプレイ対応の電話機にリアルタイムに電話番号を表示できなかった。ファクシミリの受信の場合、ファクシミリ装置が、二次呼出信号（ＩＲ）の検知後に回線を捕捉して、ファクシミリ受信フェーズを実行するため、ファクシミリ画像の受信前に、ナンバーディスプレイ対応の電話機に電話番号を表示できなかった。即ち、従来では、ファクシミリ画像の受信前に、相手先電話番号をユーザが確認することができなかった。
【００１０】
本発明は、上記の問題点を解決するためになされたものである。本発明の目的は、ファクシミリ装置の外付け電話端子に接続されるナンバーディスプレイ対応の電話機に、通信相手の電話番号をファクシミリ通信前に表示させ、ファクシミリ通信前に通信相手の電話番号を確認可能にする仕組みを提供することである。
【課題を解決するための手段】
【００１１】
本発明は、ナンバーディスプレイサービスに対応している回線を、ナンバーディスプレイサービスに対応している外付けの電話機とともに共用可能なファクシミリ装置であって、前記電話機と前記回線との接続と切断を切り換える切換え手段と、前記切り換え手段による切り換えを制御する制御手段と、前記回線の極性反転を検知する第１検知手段と、一次呼出信号を検知する第２検知手段と、前記第１検知手段により回線極性反転が検知された場合に、前記第２検知手段を起動させる起動手段と、を有し、前記制御手段は、一次呼出信号の待機中には、前記電話機を前記回線から切り離し、前記第２検知手段で一次呼出信号が検知された場合には、前記電話機を前記回線に接続し、前記電話機により前記一次呼出信号および情報サービス信号を受信可能に制御することを特徴とする。
【発明の効果】
【００１２】
本発明によれば、ファクシミリ装置の外付け電話端子に接続されるナンバーディスプレイ対応の電話機に、通信相手の電話番号をファクシミリ通信前に表示させることができ、ファクシミリ通信前に通信相手の電話番号を確認することが可能となる。
【図面の簡単な説明】
【００１３】
【図１】本実施例のファクシミリ装置のハードウェア構成図
【図２】本実施例の制御部のハードウェア構成図
【図３】本実施例のナンバーディスプレイの受信信号タイミングを例示する図
【図４】本実施例のナンバーディスプレイの情報サービス信号の受信シーケンス
【図５】本実施例のファクシミリ装置におけるナンバーディスプレイモードの制御を例示するフローチャート
【発明を実施するための形態】
【００１４】
以下、本発明を実施するための形態について図面を用いて説明する。
【実施例１】
【００１５】
図１は、本発明の一実施例を示すファクシミリ装置のハードウェア構成を例示する図である。なお、本発明は、ナンバーディスプレイサービスに対応している回線を、ナンバーディスプレイサービスに対応している外付けの電話機とともに共用可能な全ての装置に適用可能なものである。例えば、ファクシミリ部の外付け電話端子にナンバーディスプレイ機能を持った電話機を接続可能な装置に適用可能なものである。具体例としては、ファクシミリ機能を有する複合機（ＭＦＰ；Multifunction Peripheral）等の画像形成装置に適用可能である。
【００１６】
＜ファクシミリ装置１の全体構成＞
図１において、１は、本実施例のファクシミリ装置である。制御部１０は、ファクシミリ装置１全体の制御と主要機能を制御するものであり、システム制御用ＬＳＩやＣＰＵ等から構成される。制御部１０は、制御バス１５を介して、それぞれの機能ブロックに接続される。制御部１０のＣＰＵ（不図示）は、メモリ部１１のＲＯＭ２０に記憶されているプログラムに従って装置全体を制御する。
【００１７】
メモリ部１１において、ＲＯＭ２０は、フラッシュメモリなどの不揮発性メモリであり、システムを制御するためのブートプログラムとメインプログラムを圧縮して記憶している。ＲＡＭ２１は、ＤＲＡＭやＳＲＡＭ等で構成され、各種データを格納したり、ワークエリアとして使用するメモリである。ＲＡＭ２１は、プログラム実行エリアとして利用される。制御部１０のＣＰＵは、ＲＯＭ２０に圧縮されて格納されているプログラムを、装置起動時に、ＲＡＭ２１上に展開して実行する。
【００１８】
不揮発性メモリ２２は、装置の電源が遮断された状態にあっても画像や設定データなど保存しておくべきデータを格納するメモリである。不揮発性メモリ２２は、フラッシュメモリまたは、ＳＲＡＭやＤＲＡＭを不図示の電池でバックアップした構成である。不揮発性メモリ２２は、例えば、受信画像データや送信画像データ、及び、通信相手先略称やダイヤル情報、または通信結果記録、各種設定データ等を記憶する。
【００１９】
操作部１６は、各種動作モードのオペレーションを行うためのもので、入力用のスイッチ、表示器、タッチパネル等から構成されている。
読取部１２は、制御部１０の制御によって、不図示のＣＣＤやＣＭＯＳラインセンサを用いて読み取った画像データを画像処理し、ＲＡＭ２１や不揮発性メモリ２２に格納する。
【００２０】
記録部１３は、画像データを用紙に記録するものであり、例えばレーザービームプリンタ部やインクジェットプリンタ部、サーマルプリンタ部等で構成される。制御部１０は、ＲＡＭ２１または不揮発性メモリ２２に格納されている記録データを取り出し、記録部１３へ送ることでハードコピーとして印刷出力する。
【００２１】
通信制御部１４は、ファクシミリの画像通信制御や、ナンバーディスプレイ対応の電話機をアナログ電話回線へ接続制御などを行う。通信制御部１４は、図示しない回線端子を介して電話回線３１と接続されている。電話回線３１は、一般公衆電話網のアナログ電話回線であり、ナンバーディスプレイサービス契約された回線である。また、通信制御部１４は、図示しない電話端子を介して、外付けの電話機３２と接続されている。電話機３２は、ナンバーディスプレイに対応している電話機である。なお、通信制御部１４の構成は、後述する図２で示す。
【００２２】
ファクシミリ装置１は、所定の条件に応じて、通常電力モード（通常電力状態）、通常電力モードよりも消費電力の低いスリープモード（省電力状態）に電力状態を遷移する。
電源１（２３）は、スリープモード時に動作させるべき回路に電力を供給する常夜電源である。電源１（２３）は、例えば、制御部１０や図２に示す回線極性検知部２９へ電力を供給する。電源２（２４）は、各回路へ電力を供給するためのメイン電源であって、システム制御用の各種電圧を生成している。
【００２３】
図２は、通信制御部１４のハードウェア構成を例示する図である。
図２において、モデム（ＭＯＤＥＭ）３４は、ファクシミリ通信のデータの送受信を行う。ＤＡＡ（Data Access Arrangement）３５は、半導体化されたデータアクセス装置である。ＤＡＡ３５は、ＤＣ終端（回線捕捉）、ＡＣ終端、回線間インピーダンス調整機能、Isolationインターフェースなどの機能を有する。呼出信号検知部３３は、電話回線３１からの呼び出し信号（情報受信端末起動信号（ＣＡＲ信号）や二次呼出信号（ＩＲ信号）等）を検出し、制御部１０に通知する。３６は、回線制御回路のディスクリート部品（External Circuit）である。
【００２４】
オフフック検知部（ＨＯＯＫ検知部）３０は、電話端子に接続された電話機３２のオフフックを検知する。回線極性検知部２９は、電話回線３１の極性反転を検知する。電話回線３１へ着信があった場合、情報受信端末起動信号（ＣＡＲ）の着信前に回線極性が反転するが、この極性反転を、回線極性検知部２９で検知し、スリープ復帰信号を送出する。ファクシミリ装置１がスリープモードの場合、このスリープ復帰信号により、電源２（２４）が起動され、電源２（２４）からの電力供給により、ファクシミリ装置１がスリープモードから通常電力モードに復帰する。ファクシミリ装置１がスリープモードから通常電力モードに復帰すると、呼出信号検知部３３、制御部１０を含む各部が起動する。
【００２５】
オフフック検知電源／疑似ＣＩ部（ＰＣＩ Ｉ／Ｆ）４２は、制御部１０からの制御により、疑似ＣＩ信号（疑似呼出信号）を出力する。また、ＰＣＩ Ｉ／Ｆ４２は、オフフック検知部３０に電源を供給する。
回線切換え部３８は、電話機３２を電話回線３１、または、ＰＣＩ Ｉ／Ｆ４２へ接続を切り換える回線切換えリレーであり、制御部１０から出力されるＨＲＬ信号３７により、切り替えを行う。無鳴動に設定されている場合、呼出信号検知部３３が情報受信端末起動信号（ＣＡＲ信号）の初波を検出すると、その旨が制御部１０に通知され、制御部１０がＨＲＬ信号３７により、回線切換え部３８を電話回線３１側に切り換える。
【００２６】
モデム３４は、ＩＴＵＴの勧告に合致するＧ３モデムと、これらモデムに接続された制御クロック発生回路及びディスクリート部品などによって構成される。なお、ＩＴＵＴは、International Telecommunication Union-Telecommunication sectorを示す。モデム３４は、制御部１０の制御に基づいて、ＲＡＭ２１や不揮発性メモリ２２に格納されている送信データを変調し、ＤＡＡ３５を介して電話回線３１に信号を出力する。
【００２７】
モデム３４の制御を以下に示す。
モデム３４の制御は、例えば、ＤＡＡ３５と接続するためのＤＡＡインターフェースの制御、ファクシミリ装置１の制御バス１５を介して接続するためのＳｅｒｉａｌインターフェースの制御、画像データ変復調、通信手順制御等である。通信制御部１４は、Ｉ／Ｆ４０を介して制御バス１５と接続される。モデム３４は、Ｃｏｍｍａｎｄセットを用いた制御系統をもち、Ｓｕｐｅｒ−Ｇ３ＦＡＸ通信に対応している。また、モデム３４は、電話回線３１から着信したアナログ信号を、ＤＡＡ３５を介して導入し、これを復調する。モデム３４により復調された画像データは、制御部１０の制御により、ＪＢＩＧ等の画像形態でＲＡＭ２１または、不揮発性メモリ２２へ格納される。モデム３４とＤＡＡ３５を接続するコンデンサ４１は、モデム３４とＤＡＡ３５間の通信をするためのインターフェース（Ｉ／Ｆ）とアイソレーションを目的とする。
【００２８】
次に、図３を用いて、ナンバーディスプレイの受信信号タイミングについて説明する。
図３は、本実施例におけるナンバーディスプレイの受信信号タイミングを例示する図である。
【００２９】
図３において、情報受信端末起動信号（ＣＡＲ信号）１０１は、電話回線３１の線間において所定周期の正弦波呼出信号であって、公衆電話回線網の電話交換機から送出される端末起動信号である。ＣＡＲ信号１０１は、電話用の公衆回線網から出力される一次呼出信号であり、正弦波周波数１６Ｈｚ、信号レベル７５Ｖｒｍｓ、信号形式正弦波でケーデンス０．５秒のＯＮ、ＯＦＦの繰り返し信号である（２０９）。ＣＡＲ信号１０１の着信時間は、６ｓｅｃである（２０８）。ＣＡＲ信号１０１の着信から６ｓｅｃを経過すると、二次呼出信号（ＩＲ信号）が着信するため、６ｓｅｃ以内に一次応答する必要がある。
【００３０】
以下、電話回線３１の着信動作を説明する。
一般公衆電話網のアナログ電話回線である電話回線３１は、呼出信号の着信前に回線極性反転１００を起こす。この極性反転１００の後、所定時間２０３（１００ｍｓｅｃ〜１０００ｍｓｅｃ）後に、情報受信端末起動信号（ＣＡＲ信号）１０１が着信する。この電話回線３１は、ナンバーディスプレイサービス対応の契約をしている回線であるので、相手先から端末情報信号で電話番号情報が送られてくる。
【００３１】
２１２は、ＣＡＲ信号１０１によって、ファクシミリ装置がスリープモードから復帰してＣＡＲ信号を検知する場合のタイミングを示す（従来技術）。この場合、スリープ復帰時間とＣＡＲ信号検知２１０にかかる時間（検知完了２１１までの時間）が長くなるため、電話回線３１と電話機３２を接続する回線切換え部３８の切り替えタイミングが遅くなってしまう。そのため、外付け電話機３２でＣＡＲ信号１０１を継続検知させるタイミングが遅れ、外付け電話機３２において電話番号の表示ができなくなり、リアルタイム性が失われてしまう。
【００３２】
そこで、本実施例では、２０１に示すように、回線極性検知部２９が回線極性反転１００検知したことに応じて、ファクシミリ装置１をスリープモードから復帰させ、呼出信号検知部３３を起動する。この際、制御部１０や、その他のファクシミリ通信に必要なファクシミリ制御回路等も起動する。さらに、２０５に示すように、呼出信号検知部３３が、ＣＡＲ信号１０１の最初の波形２０４を検知したことに応じて、回線切換え部３８をＡ側に切り替え、電話回線３１と電話機３２を接続する。この回線切り替えによって、ナンバーディスプレイ対応の電話機３２にＣＡＲ信号１０１が継続して伝わるようになる。これにより、ナンバーディスプレイ対応の電話機３２が、ＣＡＲ信号検知タイミング２０６の期間においてＣＡＲ信号を検知するようになる。
【００３３】
図４は、本実施例におけるナンバーディスプレイの情報サービス信号の受信シーケンスを示す図である。
まず、各信号の役割を以下に示す。
図３でも示したように、回線極性反転１００は、電話回線３１の極性反転を示すものであり、ＣＡＲ信号１０１の着信前に回線極性が反転する。ＣＡＲ信号１０１は、情報端末起動信号である。一次応答信号１０２は、ＣＡＲ信号１０１の着信に応じて行われる回線捕捉によって一次応答する信号であって、ＣＡＲ信号１０１を検知後の回線捕捉に対応する。
【００３４】
情報サービス信号１０３は、一次応答信号１０２の後に着信する相手先電話番号を通知する信号である。受信完了信号１０４は、情報サービス信号１０３の信号を受信したことを示す信号であって、端末が回線を開放することによって応答する信号である。
【００３５】
二次呼出信号（ＩＲ信号）１０６は、端末呼出信号であり、これは電話機の通常の呼出信号である。この後は、通常の電話通信を行う。回線を捕捉し、通信相手が電話であれば通話を行い、通信相手がファクシミリであれば画像通信を行う。次に、通話または、ファクシミリ通信の終了で、端末が回線を開放することによって二次応答１０７となり、通信終了となる。
【００３６】
なお、電話機切換え期間１０５の示す期間は、ＣＡＲ信号１０１の波形をファクシミリ装置１で検知し、外付け電話機３２を電話回線３１に接続するように回線切換え部３８を切り換える期間を示す。
【００３７】
図５は、本実施例のファクシミリ装置１におけるナンバーディスプレイモードの制御を例示するフローチャートであり、ファクシミリ装置１の外付け電話端子に接続されたナンバーディスプレイ対応の電話機３２の制御を示す。なお、図５中の制御部１０の動作は、制御部１０のＣＰＵがメモリ部１１のＲＯＭ２０に記憶されているプログラムに従って実行されるものである。
【００３８】
Ｓ１において、電源投入時等、一次呼出信号の待機中には、制御部１０は、回線切換え部３８によって、電話機３２を電話回線３１から切り離す（無鳴動設定）。
Ｓ２において、回線極性検知部２９は、電話回線の回線極性の検知を監視する。なお、ファクシミリ装置１がスリープモードの場合には、最小限の回路のみ電源が供給されている。回線極性検知部２９は、常夜電源（電源１（２３））で動作する構成のためスリープモードにおいても動作する。一方、呼出信号検知部３３や制御部１０等は、メイン電源（電源２（２４））で動作する構成のため、スリープモードでは動作しない。呼出信号検知部３３を動作させるためには、電源２（２４）から電力を供給させて呼出信号検知部３３を起動させる必要がある。
【００３９】
回線極性検知部２９は、電話回線の回線極性１００を検知すると（Ｓ２でＹｅｓの場合）、電源２（２４）による電力供給を開始させる。それによって、ファクシミリ装置１をスリープモードから復帰させ、呼出信号検知部３３を起動させる（ＣＡＲ検知回路を立ち上げる（Ｓ３））。この際、呼出信号検知部３３及び制御部１０が優先して起動されるように構成されていてもよい。なお、回線の極性反転１００からＣＡＲ信号１０１の着信まで０．１秒〜１秒程度かかるので、この時間内に呼出信号検知部３３を起動させる。なお、回線極性検知部２９が、ファクシミリ装置１がスリープモードであるか通常電力モードであるかを判断可能にし、スリープモードの場合に、Ｓ３の処理を実行するようにしてもよい。
【００４０】
起動した呼出信号検知部３３は、Ｓ４において、ＣＡＲ信号１０１の最初の波形２０４を監視する（Ｓ４）。呼出信号検知部３３がＣＡＲ信号の最初の波形２０４を検知すると（Ｓ４でＹｅｓ）、制御部１０が回線切換え部３８を切り替え、外付け電話端子に接続されたナンバーディスプレイ対応の電話機３２を電話回線３１に接続する（鳴動設定）（Ｓ４−２）。
【００４１】
電話回線３１に接続された電話機３２は、ＣＡＲ信号１０１の受信を監視する（Ｓ５）。そして、電話機３２は、ＣＡＲ信号１０１を検知すると（Ｓ５でＹｅｓ）、一次応答１０２を行う（回線捕捉）（Ｓ６）。
一次応答１０２の後、電話機３２は、ナンバー情報１０３の受信を監視する（Ｓ７）。そして、電話機３２は、ナンバー情報１０３を受信すると（Ｓ７でＹｅｓ）、オンフック動作を行って回線を一旦開放することにより受信完了信号１０４を送出する（Ｓ８）。なお、上記Ｓ２のスリープ復帰により起動したモデム３４でも、ナンバー情報１０３を受信するものとする。
【００４２】
さらに、電話機３２は、上記Ｓ８で受信したナンバー情報１０３が示す相手電話番号を、電話機３２の表示部（不図示）に表示する（Ｓ９）。これにより、ユーザは相手電話番号を確認することが可能になる。なお、この際、表示する相手電話番号に対応する名称が電話機３２に登録されている場合には、その名称を、相手電話番号とともに、又は相手電話番号の代わりに表示するようにしてもよい。
【００４３】
この後、電話機３２は、ＩＲ信号１０６の着信を監視する（Ｓ１０）。そして、電話機３２は、ＩＲ信号１０６が着信すると、該ＩＲ信号１０６によって鳴動する。
さらに、電話機３２は、ユーザによる電話機３２のハンドセットのオフフックを監視する（Ｓ１１）。そして、電話機３２は、電話機３２のハンドセットのオフフックを検知すると（Ｓ１１でＹｅｓ）、回線捕捉し、電話機３２により通話可能な状態とする（Ｓ１２）。そして、電話機３２のハンドセットがオンフックされると、電話機３２が回線を開放することにより、通話が終了する。
【００４４】
なお、上記Ｓ１０以降、ファクシミリ装置１の呼出信号検知部３３も、ＩＲ信号（二次呼出信号）をモニターする。電話機３２のハンドセットのオフフックが検知されない場合（Ｓ１１でＮｏ）、呼出信号検知部３３がＩＲ信号の波を所定数検知すると、制御部１０の制御により、ＤＡＡ３５が回線を捕捉する。そして、ファクシミリ通信の場合（ＣＮＧ信号で判断）、モデム３４が、ファクシミリ画像を受信する。なお、電話機３２のハンドセットがオフフックされて回線捕捉された場合でも、ＣＮＧ信号が検知されると、モデム３４がファクシミリ画像を受信する。
【００４５】
従来のファクシミリ装置では、外付けのナンバーディスプレイ対応電話機へのＣＡＲ信号の転送が遅くなり、情報サービス信号（電話番号）の表示が遅くなっていた。
一方、本実施例のファクシミリ装置１では、回線極性検知部２９での回線極性の検知に応じて呼出信号検知部３３を起動する。そして、呼出信号検知部３３によるＣＡＲ信号の初波検知に応じて、該初波に継続してＣＡＲ信号を電話機３２で受信可能となるように電話機３２を電話回線３１に接続するように構成する。この構成により、電話機３２でのＣＡＲ信号検知、情報サービス信号（電話番号）受信を確実にし、電話機３２でナンバー表示可能にする。よって、ファクシミリ装置の外付け電話端子に接続されたナンバーディスプレイ対応電話機で情報サービス信号（電話番号）が表示されるタイミングを、従来より早めることができる。これにより、ファクシミリ装置の外付け電話端子に接続されるナンバーディスプレイ対応の電話機に、ファクシミリ通信前に通信相手の電話番号を表示させることができ、ファクシミリ通信前に通信相手の電話番号を確認することが可能となる。
【実施例２】
【００４６】
本実施例２は、実施例１と同様に、呼出信号検知部３３によるＣＡＲ信号の初波検知に応じて回線切換え部３８によって電話機３２を電話回線３１に接続する。
しかし、本実施例２では、電話機３２により情報サービス信号１０３が受信され、受信完了信号１０４が送出されると、制御部１０の制御により、回線切換え部３８によって電話機３２を電話回線３１から切断し、ＰＣＩ Ｉ／Ｆ４２に接続する。さらに、制御部１０の制御により、ＰＣＩ Ｉ／Ｆ４２から疑似ＣＩ信号を送信し、電話機３２を鳴動させる。そして、オフフック検知部３０により電話機３２のオフフックが検出される、又は、呼出信号検知部３３がＩＲ信号の波を所定数検知すると、制御部１０の制御により、ＤＡＡ３５が回線を捕捉する。ファクシミリ通信の場合、モデム３４がファクシミリ画像を受信する。
以上の構成により、実施例１と同様の効果を奏する。
【００４７】
以上のように、ファクシミリ装置の外付け電話端子に接続されるナンバーディスプレイ対応の電話機に、ファクシミリ通信前に通信相手の電話番号を表示させることができ、ファクシミリ通信前に通信相手の電話番号を確認することが可能となる。
【００４８】
なお、上述した各種データの構成及びその内容はこれに限定されるものではなく、用途や目的に応じて、様々な構成や内容で構成されていてもよい。
以上、一実施形態について示したが、本発明は、例えば、システム、装置、方法、プログラムもしくは記憶媒体等としての実施態様をとることが可能である。具体的には、複数の機器から構成されるシステムに適用しても良いし、また、一つの機器からなる装置に適用しても良い。
また、上記各実施例を組み合わせた構成も全て本発明に含まれるものである。
【００４９】
（その他の実施例）
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
また、本発明は、複数の機器から構成されるシステムに適用しても、１つの機器からなる装置に適用してもよい。
本発明は上記実施例に限定されるものではなく、本発明の趣旨に基づき種々の変形（各実施例の有機的な組合せを含む）が可能であり、それらを本発明の範囲から除外するものではない。即ち、上述した各実施例及びその変形例を組み合わせた構成も全て本発明に含まれるものである。
【符号の説明】
【００５０】
１    ファクシミリ装置
１４    通信制御部
２９    回線極性検知部
３０    オフフック検知部
３１    公衆電話回線
３２    ナンバーディスプレイ対応の電話機
３３    呼出信号検知部
３４    モデム
３５    ＤＡＡ
３８    切換え回路部
４２    疑似ＣＩ部
【図１】
2017139614.tif 000003
【図２】
2017139614.tif 000004
【図３】
2017139614.tif 000005
【図４】
2017139614.tif 000006
【図５】
2017139614.tif 000007